(57)【特許請求の範囲】
【請求項１】
表示パネルの表示を制御可能であり、前記表示パネルの表示制御の終了前には予め定められた制御終了処理を実行する表示制御部と、
外部電源から供給される電力を前記表示制御部に供給する第１電源と、
時刻を計時する計時部に電力を供給する蓄電可能な第２電源と、
前記外部電源及び前記第１電源の間の接続の遮断を検出する遮断検出部と、
前記遮断検出部により前記接続の遮断が検出されていない場合は前記表示制御部を前記第１電源に接続し、前記遮断検出部により前記接続の遮断が検出された場合は前記表示制御部を前記第２電源に接続する接続制御部と、
制御信号が入力されている場合は前記表示制御部及び前記第２電源の接続を遮断し、前記制御信号の入力が停止された場合は前記表示制御部及び前記第２電源を接続する切替スイッチと、
を備え、
前記接続制御部が、前記遮断検出部により前記接続の遮断が検出されていない場合は前記制御信号を前記切替スイッチに入力し、前記遮断検出部により前記接続の遮断が検出された場合は前記切替スイッチへの前記制御信号の入力を停止する表示装置。
【請求項２】
前記遮断検出部により前記接続の遮断が検出された場合にその旨を示す検出情報を記憶部に記憶させる検出情報記憶処理が実行可能な記憶処理部と、
前記表示装置の電源投入時において前記記憶部に前記検出情報が記憶されている場合に、前記計時部により計時される時刻の設定及び確認の少なくとも一方の実施を促す表示情報を前記表示制御部に表示させる確認処理部と、
を更に備える請求項１に記載の表示装置。
【請求項３】
前記記憶処理部が、前記表示制御部による前記表示制御の実行中に前記遮断検出部による前記接続の遮断が検出された場合にのみ前記検出情報記憶処理を実行する請求項２に記載の表示装置。
【請求項４】
前記表示情報が、前記計時部により計時されている現在の時刻を含む請求項２又は３に記載の表示装置。
【請求項５】
前記確認処理部が、前記時刻の設定操作又は確認操作のいずれか一方を受け付けるまでの間、前記表示制御部に前記表示情報を表示させる請求項２〜４のいずれかに記載の表示装置。
【請求項６】
前記第２電源が、前記第１電源から供給される電力によって充電される蓄電池である請求項１〜５のいずれかに記載の表示装置。
【請求項７】
請求項１〜６のいずれかに記載の表示装置と、原稿から画像データを読取可能な画像読取部及び画像データに基づいて画像を形成可能な画像形成部のいずれか一方又は両方と、を備える画像処理装置。
【請求項８】
表示パネルの表示を制御可能であり、前記表示パネルの表示制御の終了前には予め定められた制御終了処理を実行する表示制御部と、外部電源から供給される電力を前記表示制御部に供給する第１電源と、時刻を計時する計時部に電力を供給する蓄電可能な第２電源と、制御信号が入力されている場合は前記表示制御部及び前記第２電源の接続を遮断し、前記制御信号の入力が停止された場合は前記表示制御部及び前記第２電源を接続する切替スイッチと、を備える表示装置に搭載されるプロセッサーにより、
前記外部電源及び前記第１電源の間の接続の遮断を検出する第１ステップと、
前記第１ステップにより前記接続の遮断が検出されていない場合は前記表示制御部を前記第１電源に接続し、前記第１ステップにより前記接続の遮断が検出された場合は前記表示制御部を前記第２電源に接続する第２ステップと、
を実行し、
前記第２ステップでは、前記第１ステップにより前記接続の遮断が検出されていない場合は前記制御信号が前記切替スイッチに入力され、前記第１ステップにより前記接続の遮断が検出された場合は前記切替スイッチへの前記制御信号の入力が停止される給電方法。
【発明の詳細な説明】
【技術分野】
【０００１】
本発明は、表示装置、表示装置を備える画像処理装置、及び給電方法に関する。
【背景技術】
【０００２】
プリンターのような画像処理装置は、前記画像処理装置の動作状態などを表示する表示パネルを制御する表示制御部を備えることがある。この種の画像処理装置では、外部電源に接続される電源から供給される電力によって前記表示制御部が動作する。また、前記画像処理装置では、前記表示制御部の表示制御の終了前に、前記表示制御部において予め定められた制御終了処理が実行されることがある。例えば、前記制御終了処理では、前記表示パネルへの給電が停止された後に、前記表示制御部の備える制御回路への給電が停止される。
【０００３】
ところで、前記画像処理装置では、ユーザーによる主電源スイッチの操作又は停電などにより前記外部電源及び前記電源の間の接続が遮断されることがある。この場合、前記制御終了処理が終了する前に前記表示制御部への給電が停止されて、前記表示パネルの表示に異常が生じるなどの不具合が発生することがある。これに対し、前記外部電源及び前記電源の間の接続が遮断された場合に、コンデンサ等を用いて前記表示制御部の前記制御回路への給電を継続することが可能な構成が関連技術として知られている（例えば、特許文献１参照）。
【先行技術文献】
【特許文献】
【０００４】
【特許文献１】特開２０１１−２０３５３６号公報
【発明の概要】
【発明が解決しようとする課題】
【０００５】
しかしながら、前記関連技術では、前記外部電源からの給電が遮断された場合でも前記表示制御部の前記制御回路に給電可能なコンデンサなどの新たな構成を追加する必要がある。
【０００６】
本発明の目的は、既存の構成を用いて外部電源及び電源の間の接続が遮断された場合に表示制御部への給電を継続可能な表示装置、画像処理装置、及び給電方法を提供することにある。
【課題を解決するための手段】
【０００７】
本発明の一の局面に係る表示装置は、表示制御部と、第１電源と、第２電源と、遮断検出部と、接続制御部とを備える。前記表示制御部は、表示パネルの表示を制御可能であり、前記表示パネルの表示制御の終了前には予め定められた制御終了処理を実行する。前記第１電源は、外部電源から供給される電力を前記表示制御部に供給する。前記第２電源は蓄電可能であって、時刻を計時する計時部に電力を供給する。前記遮断検出部は、前記外部電源及び前記第１電源の間の接続の遮断を検出する。前記接続制御部は、前記遮断検出部により前記接続の遮断が検出されていない場合は前記表示制御部を前記第１電源に接続し、前記遮断検出部により前記接続の遮断が検出された場合は前記表示制御部を前記第２電源に接続する。
【０００８】
本発明の他の局面に係る画像処理装置は、表示装置と、画像読取部及び画像形成部のいずれか一方又は両方と、を備える。前記表示装置は、表示制御部と、第１電源と、第２電源と、遮断検出部と、接続制御部とを備える。前記表示制御部は、表示パネルの表示を制御可能であり、前記表示パネルの表示制御の終了前には予め定められた制御終了処理を実行する。前記第１電源は、外部電源から供給される電力を前記表示制御部に供給する。前記第２電源は蓄電可能であって、時刻を計時する計時部に電力を供給する。前記遮断検出部は、前記外部電源及び前記第１電源の間の接続の遮断を検出する。前記接続制御部は、前記遮断検出部により前記接続の遮断が検出されていない場合は前記表示制御部を前記第１電源に接続し、前記遮断検出部により前記接続の遮断が検出された場合は前記表示制御部を前記第２電源に接続する。一方、前記画像読取部は、原稿から画像データを読取可能である。前記画像形成部は、画像データに基づいて画像を形成可能である。
【０００９】
本発明の他の局面に係る給電方法は、表示パネルの表示を制御可能であり、前記表示パネルの表示制御の終了前には予め定められた制御終了処理を実行する表示制御部と、外部電源から供給される電力を前記表示制御部に供給する第１電源と、時刻を計時する計時部に電力を供給する蓄電可能な第２電源と、を備える表示装置に搭載されるプロセッサーにより実行され、第１ステップ及び第２ステップを含む。前記第１ステップでは、前記外部電源及び前記第１電源の間の接続の遮断が検出される。前記第２ステップでは、前記第１ステップにより前記接続の遮断が検出されていない場合は前記表示制御部が前記第１電源に接続され、前記遮断検出部により前記接続の遮断が検出された場合は前記表示制御部が前記第２電源に接続される。
【発明の効果】
【００１０】
本発明によれば、既存の構成を用いて外部電源及び電源の間の接続が遮断された場合に前記表示制御部への給電を継続可能な表示装置、画像処理装置、及び給電方法が実現される。
【図面の簡単な説明】
【００１１】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置の電源部の構成を示す図である。
【図４】図４は、本発明の実施形態に係る画像処理装置の表示パネルに表示される表示情報の一例を示す図である。
【図５】図５は、本発明の実施形態に係る画像処理装置で実行される接続制御処理の一例を示すフローチャートである。
【図６】図６は、本発明の実施形態に係る画像処理装置で実行される時刻確認処理の一例を示すフローチャートである。
【発明を実施するための形態】
【００１２】
以下、添付図面を参照しながら、本発明の実施形態について説明し、本発明の理解に供する。なお、以下の実施形態は、本発明を具体化した一例であって、本発明の技術的範囲を限定するものではない。
【００１３】
［画像処理装置１０の概略構成］
まず、図１及び図２を参照しつつ、本発明の実施形態に係る画像処理装置１０の概略構成について説明する。ここで、図１は画像処理装置１０の構成を示す断面模式図である。
【００１４】
図１及び図２に示すように、画像処理装置１０は、ＡＤＦ１、画像読取部２、画像形成部３、給紙部４、制御部５、操作部６、表示部７、計時部８、及び電源部９を備える。画像処理装置１０は、原稿から画像データを読み取るスキャン機能、及び画像データに基づいて画像を形成するプリント機能と共に、ファクシミリ機能、又はコピー機能などの複数の機能を有する複合機である。ここに、制御部５、表示部７、計時部８、及び電源部９を備える装置が、本発明における表示装置の一例である。また、本発明は、スキャナー装置、プリンター装置、ファクシミリ装置、及びコピー機などの画像処理装置に適用可能である。
【００１５】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、光源、複数のミラー、光学レンズ、及びＣＣＤ（Charge Coupled Device）を備え、原稿から画像データを読み取ることが可能である。
【００１６】
画像形成部３は、画像読取部２で読み取られた画像データ又は外部のパーソナルコンピューター等の情報処理装置から入力された画像データに基づいて、電子写真方式で画像を形成可能である。具体的に、画像形成部３は、感光体ドラム、帯電装置、光走査装置（ＬＳＵ）、現像装置、転写ローラー、クリーニング装置、定着ローラー、加圧ローラー、及び排紙トレイを備える。そして、画像形成部３では、給紙部４から供給されるシートに画像が形成されて、画像形成後の前記シートが前記排紙トレイに排出される。
【００１７】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。前記ＥＥＰＲＯＭは、不揮発性の記憶部である。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１８】
操作部６は、ユーザーの操作に応じて制御部５に各種の情報を入力する操作キー又はタッチパネルである。
【００１９】
表示部７は、制御部５からの制御指示に応じて画像処理装置１０の動作状態などの各種の情報を表示する。具体的に、表示部７は、図２に示すように、表示パネル７１及び表示制御部７２を備える。例えば、表示パネル７１は液晶パネルである。
【００２０】
表示制御部７２は、表示パネル７１の表示を制御可能である。例えば、表示制御部７２は、後述する電源部９の第１電源９１から給電される３．３Ｖの電圧により動作する制御回路、及び第１電源９１から給電される３．３Ｖの電圧を２４Ｖの駆動電圧に昇圧して表示パネル７１に供給する昇圧回路を備える。前記制御回路は、制御部５から入力される画面データに基づいて前記昇圧回路から表示パネル７１に印加される前記駆動電圧を制御する。
【００２１】
また、表示制御部７２は、表示パネル７１の表示制御の終了前には予め定められた制御終了処理を実行する。例えば、前記制御終了処理では、前記昇圧回路及び前記制御回路への給電が、前記昇圧回路及び前記制御回路の順に停止される。
【００２２】
計時部８は、時刻を計時するリアルタイムクロックである。計時部８は、制御部５からの要求に応じて、計時されている現在の時刻を示す時刻情報を制御部５に入力する。計時部８から制御部５に入力される前記時刻情報は、ファクスの送受信時刻の記録等に用いられる。計時部８は、後述する電源部９の第１電源９１又は第２電源９２から供給される電力により動作する。
【００２３】
ところで、以上に説明した構成と同様の構成を備える従来の画像処理装置では、ユーザーによる主電源スイッチの操作又は停電などにより外部電源２０（図３参照）及び第１電源９１の間の接続が遮断されることがある。この場合、前記制御終了処理が終了する前に表示制御部７２への給電が停止されて、表示パネル７１の表示に異常が生じるなどの不具合が発生することがある。これに対し、外部電源２０及び第１電源９１の間の接続が遮断された場合に、コンデンサ等を用いて表示制御部７２の前記制御回路への給電を継続することが可能な構成が関連技術として知られている。
【００２４】
しかしながら、前記関連技術では、外部電源２０からの給電が遮断された場合でも表示制御部７２の前記制御回路に給電可能なコンデンサなどの新たな構成を追加する必要がある。これに対し、本発明の実施形態に係る画像処理装置１０では、以下に説明するように、既存の構成を用いて外部電源２０及び第１電源９１の間の接続が遮断された場合に表示制御部７２への給電を継続することが可能である。
【００２５】
以下、図２及び図３を参照しつつ、電源部９について説明する。ここで、図３は電源部９の構成を示すブロック図である。
【００２６】
電源部９は、図２及び図３に示すように、第１電源９１、第２電源９２、ゼロクロス検出回路９３、第１スイッチ９４、第２スイッチ９５、第３スイッチ９６、第４スイッチ９７、及び平滑コンデンサ９８を備える。
【００２７】
第１電源９１は、外部電源２０から供給される電力を画像処理装置１０の各部に供給する。例えば、第１電源９１は、外部電源２０から供給される１００Ｖの交流電圧を３．３Ｖの直流電圧に変換するＡＣ−ＤＣコンバーターである。第１電源９１は、図３に示すように、外部電源２０から供給される電力を制御部５、表示制御部７２、第２電源９２、及び計時部８に供給する。また、第１電源９１は、外部電源２０から供給される電力を画像読取部２などのその他の負荷に供給する。
【００２８】
第２電源９２は、蓄電可能であって、計時部８に電力を供給する。例えば、第２電源９２は、第１電源９１から供給される電力によって充電される蓄電池である。第２電源９２は、図３に示すように、第１スイッチ９４により第１電源９１と接続されている間は、第１電源９１から供給される電力によって充電される。また、第２電源９２は、第１スイッチ９４により第１電源９１との接続が遮断された場合は、計時部８に電力を供給する。また、第２電源９２は、第１スイッチ９４により第１電源９１との接続が遮断された場合であって、第３スイッチ９６により表示制御部７２と接続された場合は、計時部８及び表示制御部７２に電力を供給する。
【００２９】
ゼロクロス検出回路９３は、外部電源２０から供給される交流電圧のゼロクロス点を検出可能な電気回路である。ゼロクロス検出回路９３は、前記ゼロクロス点を検出した場合に、前記ゼロクロス点の検出を示す検出信号Ｓ１を制御部５に入力する。例えば、制御部５は、ゼロクロス検出回路９３から入力される制御信号Ｓ１に基づいて、画像形成部３の定着ローラーに内蔵されるヒーターの通電制御を行う。
【００３０】
第１スイッチ９４は、図３に示すように、第１電源９１と、第２電源９２及び計時部８とを接続する通電経路上に設けられ、前記通電経路の導通の有無を切り替え可能である。例えば、第１スイッチ９４は、制御部５から入力される制御信号Ｓ２に応じて前記通電経路を導通させるトランジスタスイッチである。具体的に、第１スイッチ９４は、制御部５から制御信号Ｓ２が入力されている場合は第１電源９１と、第２電源９２及び計時部８とを接続し、制御信号Ｓ２の入力が停止された場合は第１電源９１と、第２電源９２及び計時部８との接続を遮断する。なお、第１スイッチ９４はリレー回路等であってもよい。
【００３１】
第２スイッチ９５は、図３に示すように、第１電源９１と表示制御部７２とを接続する通電経路上に設けられ、前記通電経路の導通の有無を切り替え可能である。例えば、第２スイッチ９５は、第１スイッチ９４と同様に、制御部５から入力される制御信号Ｓ３に応じて前記通電経路を導通させるトランジスタスイッチである。具体的に、第２スイッチ９５は、制御部５から制御信号Ｓ３が入力されている場合は第１電源９１と表示制御部７２とを接続し、制御信号Ｓ３の入力が停止された場合は第１電源９１と表示制御部７２との接続を遮断する。
【００３２】
第３スイッチ９６は、図３に示すように、第２電源９２と表示制御部７２とを接続する通電経路上に設けられ、前記通電経路の導通の有無を切り替え可能である。例えば、第３スイッチ９６は、リレー回路９６１及び制御部５から入力される制御信号Ｓ４に応じてリレー回路９６１を遮断させるリレー駆動回路９６２を備える。具体的に、第３スイッチ９６は、制御部５から制御信号Ｓ４が入力されている場合は第２電源９２と表示制御部７２との接続を遮断し、制御信号Ｓ４の入力が停止された場合は第２電源９２と表示制御部７２とを接続する。ここに、第３スイッチ９６が、本発明における切替スイッチの一例である。なお、第３スイッチ９６は、トランジスタを用いて構成される電気回路であってもよい。
【００３３】
第４スイッチ９７は、図３に示すように、第１電源９１と前記その他の負荷とを接続する通電経路上に設けられ、前記通電経路の導通の有無を切り替え可能である。例えば、第４スイッチ９７は、制御部５から入力される制御信号Ｓ５に応じて前記通電経路を導通させるトランジスタスイッチである。具体的に、第４スイッチ９７は、制御部５から制御信号Ｓ５が入力されている場合は第１電源９１と前記その他の負荷とを接続し、制御信号Ｓ５の入力が停止された場合は第１電源９１と前記その他の負荷との接続を遮断する。
【００３４】
平滑コンデンサ９８は、図３に示すように、第１電源９１とグランドとを接続する通電経路上に設けられ、第１電源９１から出力される直流電圧の変動を吸収して平滑化する。また、平滑コンデンサ９８は、外部電源２０及び第１電源９１の間の接続が遮断された場合に、充電された電力を制御部５に供給する。
【００３５】
一方、制御部５の前記ＲＯＭには、前記ＣＰＵに後述の接続制御処理（図５のフローチャート参照）及び時刻確認処理（図６のフローチャート参照）を実行させるための接続制御プログラムが予め記憶されている。なお、前記接続制御プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭ等の記憶部にインストールされるものであってもよい。
【００３６】
そして、制御部５は、図２に示すように、遮断検出部５１、接続制御部５２、記憶処理部５３、及び確認処理部５４を含む。具体的に、制御部５は、前記ＣＰＵを用いて前記ＲＯＭに記憶されている前記接続制御プログラムを実行する。これにより、制御部５は、遮断検出部５１、接続制御部５２、記憶処理部５３、及び確認処理部５４として機能する。
【００３７】
遮断検出部５１は、外部電源２０及び第１電源９１の間の接続の遮断を検出する。具体的に、遮断検出部５１は、ゼロクロス検出回路９３からの検出信号Ｓ１の入力間隔に基づいて、外部電源２０及び第１電源９１の間の接続の遮断を検出する。例えば、遮断検出部５１は、直近の検出信号Ｓ１の入力時から外部電源２０の交流電圧の半周期を経過するまでの間に次の検出信号Ｓ１が入力されない場合に、外部電源２０及び第１電源９１の間の接続が遮断されたと判断する。
【００３８】
接続制御部５２は、遮断検出部５１により外部電源２０及び第１電源９１の間の接続の遮断が検出されていない場合は、表示制御部７２を第１電源９１に接続する。また、接続制御部５２は、遮断検出部５１により外部電源２０及び第１電源９１の間の接続の遮断が検出された場合は、表示制御部７２を第２電源９２に接続する。
【００３９】
具体的に、接続制御部５２は、遮断検出部５１により外部電源２０及び第１電源９１の間の接続の遮断が検出されていない場合は、第２スイッチ９５に制御信号Ｓ３を入力して表示制御部７２を第１電源９１に接続すると共に、第３スイッチ９６に制御信号Ｓ４を入力して表示制御部７２及び第２電源９２の間の接続を遮断する。
【００４０】
一方、接続制御部５２は、遮断検出部５１により外部電源２０及び第１電源９１の間の接続の遮断が検出された場合は、第３スイッチ９６への制御信号Ｓ４の入力を停止して表示制御部７２を第２電源９２に接続すると共に、第２スイッチ９５への制御信号Ｓ３の入力を停止して表示制御部７２及び第１電源９１の間の接続を遮断する。
【００４１】
また、接続制御部５２は、遮断検出部５１により外部電源２０及び第１電源９１の間の接続の遮断が検出されていない場合は、第１スイッチ９４に制御信号Ｓ２を入力して第２電源９２及び計時部８を第１電源９１に接続する。また、接続制御部５２は、遮断検出部５１により外部電源２０及び第１電源９１の間の接続の遮断が検出された場合は、第１スイッチ９４への制御信号Ｓ２の入力を停止して第２電源９２及び計時部８と第１電源９１との間の接続を遮断する。
【００４２】
また、接続制御部５２は、遮断検出部５１により外部電源２０及び第１電源９１の間の接続の遮断が検出されていない場合は、第４スイッチ９７に制御信号Ｓ５を入力して前記その他の負荷を第１電源９１に接続する。また、接続制御部５２は、遮断検出部５１により外部電源２０及び第１電源９１の間の接続の遮断が検出された場合は、第４スイッチ９７への制御信号Ｓ５の入力を停止して前記その他の負荷と第１電源９１との間の接続を遮断する。
【００４３】
記憶処理部５３は、遮断検出部５１により外部電源２０及び第１電源９１の間の接続の遮断が検出された場合に、その旨を示す検出情報を記憶部に記憶させる検出情報記憶処理を実行することが可能である。例えば、前記記憶部は、制御部５の前記ＥＥＰＲＯＭである。なお、前記記憶部は、画像処理装置１０に設けられるフラッシュメモリーなどの不揮発性の記憶部であってもよい。
【００４４】
例えば、記憶処理部５３は、表示制御部７２による表示パネル７１の表示制御の実行中に、遮断検出部５１による外部電源２０及び第１電源９１の間の接続の遮断が検出された場合にのみ、前記検出情報記憶処理を実行する。例えば、記憶処理部５３は、遮断検出部５１による外部電源２０及び第１電源９１の間の接続の遮断が検出された場合に、表示制御部７２に動作状態の問い合わせを行い、前記問い合わせに対する表示制御部７２からの応答に基づいて、前記表示制御の実行中であるか否かを判断する。
【００４５】
確認処理部５４は、画像処理装置１０の電源投入時において前記記憶部に前記検出情報が記憶されている場合に、計時部８により計時される時刻の設定及び確認の少なくとも一方の実施を促す表示情報を表示制御部７２に表示させる。例えば、確認処理部５４は、計時部８により計時される時刻の設定操作又は確認操作のいずれか一方を受け付けるまでの間、表示制御部７２に前記表示情報を表示させる。例えば、前記表示情報には、計時部８により計時されている現在の時刻が含まれる。
【００４６】
ここで、確認処理部５４によって表示パネル７１に表示される前記表示情報を含む表示画面の一例を図４に示す。図４に示すように、表示画面Ａ１は、メッセージ表示欄Ａ２、時刻表示欄Ａ３、操作キーＡ４〜Ａ５を含む。
【００４７】
時刻表示欄Ａ３には、計時部８により計時されている現在の時刻が表示される。メッセージ表示欄Ａ２には、時刻表示欄Ａ３に表示されている時刻の確認を促す旨のメッセージが表示される。ここに、メッセージ表示欄Ａ２、及び時刻表示欄Ａ３に表示される情報が、本発明における表示情報の一例である。
【００４８】
ユーザーにより操作キーＡ４が操作されると、確認処理部５４は、現在の時刻の入力に用いられる時刻入力画面を表示制御部７２に表示させて、ユーザーによる時刻の入力操作を受け付ける。前記時刻入力画面において、ユーザーにより前記入力操作が行われると、確認処理部５４は、前記入力操作で入力された時刻を現在の時刻に設定するよう計時部８に指示する。ここに、操作キーＡ４の操作、及び前記時刻入力画面における前記入力操作が、本発明における設定操作の一例である。
【００４９】
また、ユーザーにより操作キーＡ５が操作されると、確認処理部５４は、表示制御部７２による表示画面Ａ１の表示を終了させる。ここに、操作キーＡ５の操作が、本発明における確認操作の一例である。
【００５０】
［接続制御処理］
次に、図５を参照しつつ、画像処理装置１０において制御部５により実行される接続制御処理の手順の一例について説明する。ここで、ステップＳ１１、Ｓ１２・・・は、制御部５により実行される処理手順（ステップ）の番号を表している。
【００５１】
＜ステップＳ１１＞
まず、ステップＳ１１において、制御部５は、外部電源２０及び第１電源９１の間の接続の遮断を検出したか否かを判断する。ここに、ステップＳ１１の処理が、本発明における第１ステップの一例であって、制御部５の遮断検出部５１により実行される。
【００５２】
例えば、制御部５は、ゼロクロス検出回路９３からの直近の検出信号Ｓ１の入力時から外部電源２０の交流電圧の半周期を経過するまでの間に次の検出信号Ｓ１が入力されない場合に、外部電源２０及び第１電源９１の間の接続が遮断されたと判断する。
【００５３】
ここで、制御部５は、外部電源２０及び第１電源９１の間の接続の遮断を検出したと判断すると（Ｓ１１のＹｅｓ側）、処理をステップＳ１２に移行させる。また、外部電源２０及び第１電源９１の間の接続の遮断を検出していなければ（Ｓ１１のＮｏ側）、制御部５は、ステップＳ１１で外部電源２０及び第１電源９１の間の接続の遮断の検出を待ち受ける。
【００５４】
なお、ステップＳ１１で外部電源２０及び第１電源９１の間の接続の遮断が検出されるまでの間、制御部５は、第２スイッチ９５に制御信号Ｓ３を入力して表示制御部７２を第１電源９１に接続すると共に、第３スイッチ９６に制御信号Ｓ４を入力して表示制御部７２及び第２電源９２の間の接続を遮断する。これにより、外部電源２０及び第１電源９１の間の接続が遮断されるまでの間、表示制御部７２は、第１電源９１から供給される電力により動作する。
【００５５】
また、ステップＳ１１で外部電源２０及び第１電源９１の間の接続の遮断が検出されるまでの間、制御部５は、第１スイッチ９４に制御信号Ｓ２を入力して第２電源９２及び計時部８を第１電源９１に接続する。これにより、外部電源２０及び第１電源９１の間の接続が遮断されるまでの間、第２電源９２は、第１電源９１から供給される電力により充電される。また、外部電源２０及び第１電源９１の間の接続が遮断されるまでの間、計時部８は、第１電源９１から供給される電力により動作する。
【００５６】
また、ステップＳ１１で外部電源２０及び第１電源９１の間の接続の遮断が検出されるまでの間、制御部５は、第４スイッチ９７に制御信号Ｓ５を入力して前記その他の負荷を第１電源９１に接続する。これにより、外部電源２０及び第１電源９１の間の接続が遮断されるまでの間、前記その他の負荷には第１電源９１から電力が供給される。
【００５７】
＜ステップＳ１２＞
ステップＳ１２において、制御部５は、表示制御部７２を第２電源９２に接続する。ここに、ステップＳ１２の処理が、本発明における第２ステップの一例であって、制御部５の接続制御部５２により実行される。
【００５８】
具体的に、制御部５は、第３スイッチ９６への制御信号Ｓ４の入力を停止して表示制御部７２を第２電源９２に接続すると共に、第２スイッチ９５への制御信号Ｓ３の入力を停止して表示制御部７２及び第１電源９１の間の接続を遮断する。これにより、外部電源２０及び第１電源９１の間の接続が遮断された場合において、表示制御部７２は、第２電源９２から供給される電力により動作を継続することが可能である。
【００５９】
また、制御部５は、第１スイッチ９４への制御信号Ｓ２の入力を停止して第２電源９２及び計時部８と第１電源９１との間の接続を遮断する。これにより、第２電源９２の状態が充電状態から放電状態に切り替わると共に、計時部８に電力を供給する電源が第１電源９１から第２電源９２に切り替わる。
【００６０】
また、制御部５は、第４スイッチ９７への制御信号Ｓ５の入力を停止して前記その他の負荷と第１電源９１との間の接続を遮断する。これにより、平滑コンデンサ９８から供給される電力の供給先が制御部５に制限される。制御部５は、外部電源２０及び第１電源９１の間の接続が遮断された後においても、前記接続の遮断前までに平滑コンデンサ９８に充電されていた電力により前記接続制御処理を継続することが可能である。
【００６１】
＜ステップＳ１３＞
ステップＳ１３において、制御部５は、表示制御部７２による表示パネル７１の前記表示制御の実行中であるか否かを判断する。例えば、制御部５は、表示制御部７２に動作状態の問い合わせを行い、前記問い合わせに対する表示制御部７２からの応答に基づいて、前記表示制御の実行中であるか否かを判断する。
【００６２】
ここで、制御部５は、前記表示制御の実行中であると判断すると（Ｓ１３のＹｅｓ側）、処理をステップＳ１４に移行させる。また、前記表示制御の実行中でなければ（Ｓ１３のＮｏ側）、制御部５は、処理をステップＳ１５に移行させる。
【００６３】
＜ステップＳ１４＞
ステップＳ１４において、制御部５は、前記検出情報記憶処理を実行して、前記検出情報を前記記憶部に記憶させる。ここで、ステップＳ１３及びステップＳ１４の処理は、制御部５の記憶処理部５３により実行される。
【００６４】
＜ステップＳ１５＞
ステップＳ１５において、制御部５は、表示制御部７２に前記制御終了処理の実行を指示する。表示制御部７２は、制御部５からの指示を受けて、前記制御終了処理を実行する。ここで、画像処理装置１０では、表示制御部７２による前記制御終了処理の実行中は、第２電源９２から表示制御部７２に電力が供給される。これにより、前記制御終了処理の実行中に表示制御部７２への電力供給が停止することがない。
【００６５】
［時刻確認処理］
次に、図６を参照しつつ、画像処理装置１０において制御部５により実行される時刻確認処理の手順の一例について説明する。ここで、前記時刻確認処理は、画像処理装置１０において主電源が投入された場合に実行される。
【００６６】
＜ステップＳ２１＞
ステップＳ２１において、制御部５は、前記記憶部に前記検出情報が記憶されているか否かを判断する。
【００６７】
ここで、制御部５は、前記記憶部に前記検出情報が記憶されていると判断すると（Ｓ２１のＹｅｓ側）、処理をステップＳ２２に移行させる。また、前記記憶部に前記検出情報が記憶されていなければ（Ｓ２１のＮｏ側）、制御部５は、前記時刻確認処理を終了する。
【００６８】
＜ステップＳ２２＞
ステップＳ２２において、制御部５は、前記表示情報を表示制御部７２に表示させる。例えば、制御部５は、前記表示情報を含む表示画面Ａ１を表示制御部７２に表示させる。これにより、表示画面Ａ１が表示パネル７１に表示される。
【００６９】
＜ステップＳ２３＞
ステップＳ２３において、制御部５は、計時部８により計時される時刻の前記確認操作が行われたか否かを判断する。例えば、制御部５は、ステップＳ２２で表示された表示画面Ａ１において操作キーＡ５が操作された場合に、前記確認操作が行われたと判断する。
【００７０】
ここで、制御部５は、前記確認操作が行われたと判断すると（Ｓ２３のＹｅｓ側）、前記時刻確認処理を終了する。また、前記確認操作が行われていなければ（Ｓ２３のＮｏ側）、制御部５は、処理をステップＳ２４に移行させる。
【００７１】
＜ステップＳ２４＞
ステップＳ２４において、制御部５は、計時部８により計時される時刻の前記設定操作が行われたか否かを判断する。例えば、制御部５は、ステップＳ２２で表示された表示画面Ａ１において操作キーＡ４が操作された場合に、現在の時刻の入力に用いられる前記時刻入力画面を表示制御部７２に表示させる。そして、制御部５は、前記時刻入力画面において時刻の前記入力操作が行われた場合に、前記設定操作が行われたと判断する。
【００７２】
ここで、制御部５は、前記設定操作が行われたと判断すると（Ｓ２４のＹｅｓ側）、処理をステップＳ２５に移行させる。また、前記設定操作が行われていなければ（Ｓ２４のＮｏ側）、制御部５は、処理をステップＳ２３に移行させて、ユーザーによる前記確認操作又は前記設定操作を待ち受ける。
【００７３】
＜ステップＳ２５＞
ステップＳ２５において、制御部５は、ステップＳ２４で行われた前記設定操作に応じて、計時部８により計時される時刻を設定する。例えば、制御部５は、現在の時刻を前記時刻入力画面における前記入力操作で入力された時刻に設定するよう計時部８に指示する。ここで、ステップＳ２１〜２５までの処理は、制御部５の確認処理部５４により実行される。
【００７４】
このように、前記時刻確認処理では、前記接続制御処理において第２電源９２が表示制御部７２に接続された場合に、表示パネル７１に前記表示情報が表示されて、計時部８により計時される時刻が現在の時刻に合致しているか否かの確認が促される。これにより、第２電源９２が表示制御部７２に接続されることで計時部８への供給電力が不足して、計時部８による計時に狂いが生じたとしても、画像処理装置１０の主電源の投入直後のタイミングでユーザーに時刻の設定操作の機会を付与することが可能である。
【００７５】
また、前記時刻確認処理では、前記表示制御が実行されていないタイミングで表示制御部７２により前記制御終了処理が実行される場合には、前記表示制御の実行中に前記制御終了処理が実行される場合と比較して、表示制御部７２における前記制御終了処理に伴う電力消費量が小さいことに鑑みて、前記接続制御処理のステップＳ１３において表示制御部７２による前記表示制御の実行中であると判断された場合にのみ、前記表示情報が表示される。これにより、計時部８による計時に狂いが生じるおそれがない場合にまでユーザーに時刻の設定操作の機会が付与されることが回避される。
【００７６】
以上に説明したように、画像処理装置１０では、外部電源２０及び第１電源９１の間の接続の遮断が検出された場合に、表示制御部７１が計時部８に電力を供給する第２電源９２に接続される。これにより、既存の構成を用いて、外部電源２０及び第１電源９１の間の接続が遮断された場合に表示制御部７２への給電を継続することが可能である。
【符号の説明】
【００７７】
１  ：ＡＤＦ
２  ：画像読取部
３  ：画像形成部
４  ：給紙部
５  ：制御部
５１：遮断検出部
５２：接続制御部
５３：記憶処理部
５４：確認処理部
６  ：操作部
７  ：表示部
７１：表示パネル
７２：表示制御部
８  ：計時部
９  ：電源部
９１：第１電源
９２：第２電源
９３：ゼロクロス検出回路
９４：第１スイッチ
９５：第２スイッチ
９６：第３スイッチ
９７：第４スイッチ
９８：平滑コンデンサ
１０：画像処理装置
【図１】
0006394557.tif 000002
【図２】
0006394557.tif 000003
【図３】
0006394557.tif 000004
【図４】
0006394557.tif 000005
【図５】
0006394557.tif 000006
【図６】
0006394557.tif 000007